(57)【要約】【課題】配線を変更する場合や追加配線を容易に行え、配線類を確実に支持できる配線ダクト付きテーブルを提供すること。【解決手段】配線ダクト５は、下部配線受け１５と上部配線カバー１６とで配線挿通口と配線収納空間とを形成し、下部配線受け１５または上部配線カバー１６のどちらか一方が一対の支持脚間に支持された構成とすることですることで、天板に邪魔されることなく配線作業ができ、配線類の重量を一対の支持脚間で支えているので配線類を確実に支持できる。【選択図】  図３
2004159690.tif 000002
【特許請求の範囲】
【請求項１】
天板と、該天板を支える支柱と、離間した一対の前記支柱間に配設した配線ダクトとを備えた配線ダクト付きテーブルであって、前記配線ダクトは、下部配線受けと上部配線カバーとで配線挿通口と配線収納空間とが形成され、前記下部配線受けまたは上部配線カバーの少なくともどちらか一方は前記一対の支柱間に支持されていること特徴とする配線ダクト付きテーブル。
【請求項２】
前記上部配線カバーに配線差込口又は配線挿通口が形成されている請求項１に記載の配線ダクト付きテーブル。
【請求項３】
前記下部配線受けは上方が開口する断面コ字状部材で、上部配線カバーは下方が開口する断面コ字状部材で構成され、一方が他方に嵌合している請求項１または２に記載の配線ダクト付きテーブル。
【請求項４】
前記配線収納空間は複数の配線空間に仕切られている請求項１ないし３の何れかに記載の配線ダクト付きテーブル。
【請求項５】
前記上部配線カバー又は下部配線受けに補強フレームが設けられ、両者は補強フレームを介して止着されている請求項１ないし４の何れかに記載の配線ダクト付きテーブル。
【発明の詳細な説明】
【０００１】
【発明の属する技術分野】
本発明は、天板と、該天板を支える支柱と、離間した一対の前記支柱間に配設した配線ダクトとを備えた配線ダクト付きテーブルに関する。
【０００２】
【従来の技術】
従来、配線ダクト付きテーブルとして天板下面に断面コ字状等の配線収納部を設け、この収納部を中継して各種配線を施すようにするのが一般的であった（特許文献１参照）。しかしながら、上記配線収納部は、天板の真下にありしかも側板にボルト付けされた横架部材で構成されているため、配線を変更する場合や追加配線の際は作業が大がかりとなる恐れがあった。
【０００３】
このような状況を避けるために、天板の下に着脱自在な配線ダクトを取り付けたものも開発されている（特許文献２参照）。
【０００４】
【特許文献１】
特公平７−６７４０９号公報（第３頁、図１―３）
【特許文献２】
特開平７−２３４号公報（第２，３頁、図１，２）
【０００５】
【発明が解決しようとする課題】
しかしながら、上記特許文献２に記載のものは、配線ダクトが天板の真下にあるために、配線を変更する場合や追加配線の際はそのたびに配線ダクトを取り外して配線作業をしなければならず、配線作業位置と配線取付位置に高さのズレがあるため、配線ダクトを天板に取付けたとき配線にゆるみやのびが生じる傾向があった。また着脱を容易にするために天板に対して係合爪で係止しているために、配線類を多く収納するとその重量に耐えられず配線ダクトが外れる危険性もあった。
【０００６】
本発明は、このような状況に鑑みてなされたもので、配線を変更する場合や追加配線を容易に行え、配線類を確実に支持できる配線ダクト付きテーブルを提供することを目的とするものである。
【０００７】
【課題を解決するための手段】
上記課題を解決するために、本発明の配線ダクト付きテーブルは、天板と、該天板を支える支柱と、離間した一対の前記支柱間に配設した配線ダクトとを備えた配線ダクト付きテーブルであって、前記配線ダクトは、下部配線受けと上部配線カバーとで配線挿通口と配線収納空間とが形成され、前記下部配線受けまたは上部配線カバーの少なくともどちらか一方は前記一対の支柱間に支持されていること特徴としている。
この特徴によれば、配線ダクトが一対の支柱間に支持されているから、天板に邪魔されることなく配線作業ができ、配線類の重量を一対の支柱で支えているので配線類を確実に支持できる。
【０００８】
本発明の配線ダクト付きテーブルにおいて、前記上部配線カバーに配線差込口又は配線挿通口が形成されていることが好ましい。
このようにすれば、配線差込口又は配線挿通口が上部配線カバーに形成されているから、配線差込口又は配線挿通口を介して天板上で使用しているパソコン等に容易に配線接続が可能である。
【０００９】
本発明の配線ダクト付きテーブルにおいて、前記下部配線受けは上方が開口する断面コ字状部材で、上部配線カバーは下方が開口する断面コ字状部材で構成され、一方が他方に嵌合していることが好ましい。
このようにすれば、断面コ字状部材同士で収納空間が形成されるので、配線類をこの空間内に確実に捕捉することができ、嵌合状態を外せば配線作業が即座に行える。
【００１０】
本発明の配線ダクト付きテーブルにおいて、前記配線収納空間は複数の配線空間に仕切られていることが好ましい。
このようにすれば、配線空間を複数に仕切ることで、電源線や情報線を区分けして収納できるので、線同士の干渉を避け、保守点検がしやすい。
【００１１】
本発明の配線ダクト付きテーブルにおいて、前記上部配線カバー又は下部配線受けに補強フレームが設けられ、両者は補強フレームを介して止着されていることが好ましい。
このようにすれば、補強フレームを上部配線カバー又は下部配線受けの強度向上と止着受座として利用できる。
【００１２】
【発明の実施の形態】
以下、本発明の実施形態を図面に基づいて説明する。図１は本発明の一実施形態に係る配線ダクト付きテーブルの分解斜視図である。
【００１３】
符号１はテーブルであって、このテーブル１は、天板２を支持する一対の支持脚１０ａ、１０ｂが天板２の上方に所定高さ延長した構成となっており、天板２上方の両支持脚１０ａ、１０ｂ間には電子時計Ｗ等を載置する架台４の両端が止着支持されている。
【００１４】
このように、両支持脚１０ａ、１０ｂ間に架台４を支持させることで、重力がかかるものでも架台４の上に置くことも可能である。
【００１５】
尚、天板２上方に配置される架台４は、天板２下面の両支持脚１０ａ、１０ｂ間に装架することも可能であり、例えばコンセント６を有する配線ダクト５として構成することができ、この配線ダクト５に、天板２上に載置されたパソコンＰＣの信号線Ｃ１や架台４上の電子時計Ｗ等の電源コードＣ２を、天板２外周と幕板８内壁面とで形成される隙間Ｇを通して配線ダクト５内に収容することができる。
【００１６】
次に、配線ダクトの第１実施形態に付き図２、図３及び図５を参照して説明する。図２は第１実施形態に係る配線ダクトが支持脚間に装架された状態を示す斜視図、図３は第１実施形態に係る配線ダクトの下部配線受けと上部配線カバーを開放した状態を示す分解斜視図であり、図５は図２に示す配線ダクトを横切る断面図である。
【００１７】
図３に示すように、配線ダクト５は、上方が開口する断面コ字状に形成されて長手方向両端の両起立壁Ｓ１、Ｓ２の内面間にねじ孔ｔ１、ｔ２を有する帯板状の補強フレーム２０ａ、２０ｂを横架した下部配線受け１５と、この下部配線受け１５上部に挿嵌可能に下方が開口する断面コ字状に形成された上部配線カバー１６とから構成され、この上部配線カバー１６の上面に貫通形成された一対の矩形孔１８ａ、１８ｂに配線差込口としてのコンセントＥ１、Ｅ２が装着されている。
【００１８】
詳しくは、下部配線受け１５には、片側の起立壁Ｓ１の長手方向端部を内方に向けて斜めに折曲形成した両端に、一対の支持脚１０ａ、１０ｂに取付けるための取付孔を有する取付部１５ａ、１５ｂが設けられると共に、上記補強フレーム２０ａ、２０ｂは、両起立壁Ｓ１、Ｓ２の開口上端より若干下方に位置するように溶接等で固定されている。
【００１９】
一方、上部配線カバー１６上面には、下部配線受け１５の開口両側に配設された補強フレーム２０ａ、２０ｂのねじ孔ｔ１、ｔ２に対応して取付ねじＢ１、Ｂ２を挿通するための一対の取付孔ｈ１、ｈ２が形成されている。
【００２０】
従って、下部配線受け１５の開口は、図２及び図５に示すように、上部配線カバー１６の装着により閉塞されて配線ダクト５として構成されるが、上部配線カバー１６に装着されたコンセントＥ１、Ｅ２から延出される電源コードＥＣは、補強フレーム２０ａ、２０ｂ下方の底面に沿って収容され、例えば通信線ＷＣ等は、補強フレーム２０ａ、２０ｂと上部配線カバー１６の天板裏面とで形成される空間に収容保持されると共に、配線ダクト５の両端挿通口を介して電源コードＥＣないし通信線ＷＣ等を挿通させることができる。
【００２１】
そこで、配線ダクト５は、図２に示すように、下部配線受け１５両端の取付部１５ａ、１５ｂが一対の支持脚１０ａ、１０ｂ間に取付けられる。
【００２２】
次に、配線ダクトの第２実施形態に付き図４を参照して説明する。図４は第２実施形態に係る配線ダクトの下部配線受けと上部配線カバーを開放した状態を示す分解斜視図である。尚、上記実施形態の構成部分と同一構成部分は同一符号を付して重複する説明を省略する。
【００２３】
符号２５は、本実施形態に係る配線ダクトであって、この配線ダクト２５は、上方が開口する断面コ字状に形成された下部配線受け２４と、下方が開口する断面コ字状に形成された上部配線カバー２８とから構成されている。
【００２４】
下部配線受け２４は、その片側の起立壁Ｓ′１の両側にコ字形の切欠き２６ａ、２６ｂが形成されると共に、上部配線カバー２８は、その天板に長手方向両側に矩形状の配線挿通口２８ａ、２８ｂが形成され、その片側側壁Ｓ”１には下部配線受け２４の切欠き２６ａ、２６ｂ間に跨る幅のとなる横長切欠き３０が形成されており、切欠き３０の深さは、下部配線受け２４上に上部配線カバー２８を装着した際、横長切欠き３０の両端から一対の切欠き２６ａ、２６ｂ下方が露呈する寸法に形成されている。
【００２５】
下部配線受け２４上に上部配線カバー２８を装着して配線ダクト２５を構成することで、横長切欠き３０の両端から露呈する一対の切欠き２６ａ、２６ｂの下方が配線挿通口として形成されるので、この配線挿通口を通して電源コードＥＣないし通信線ＷＣ等を挿通させることができる。
【００２６】
従って、上記のように構成された配線ダクトによれば、下部配線受け２４と上部配線カバー２８とで配線挿通口及び配線収納空間が形成され、下部配線受け２４が一対の支持脚１０ａ、１０ｂ間に支持されるので、天板２に邪魔されることなく配線作業ができ、配線類の重量を一対の支持脚１０ａ、１０ｂで支えているので配線類を確実に支持できる。
【００２７】
また、上部配線カバー２８にコンセントＥ１、Ｅ２を設けたり、あるいは配線挿通口２８ａ、２８ｂ等を形成し、これらを介して天板２上で使用するパソコンＰＣ等に配線接続することができる。
【００２８】
更に、上方が開口する断面コ字状部材に形成された下部配線受け２４上に、下方が開口する断面コ字状部材で構成された上部配線カバー２８が嵌合することで、両者の間に収納空間が形成され、配線類をこの空間内に確実に捕捉することができ、両者の嵌合状態を外せば配線交換等の作業が即座に行える。
【００２９】
そして、下部配線受け２４内の配線収納空間が、補強フレーム２０ａ、２０ｂ等によって複数の配線空間に仕切られて電源線や情報線を区分けして収納できるので、線同士の干渉を避け、保守点検がしやすい。
【００３０】
そしてまた、下部配線受け２４に補強フレーム２０ａ、２０ｂが設けられ、下部配線受け２４と上部配線カバー２８が補強フレーム２０ａ、２０ｂを介して止着されるので、これら補強フレーム２０ａ、２０ｂを上部配線カバー２８又は下部配線受け２４の強度向上と止着受座として利用できる。
【００３１】
次に、配線ダクトの第３実施形態に付き図６の（ａ）、（ｂ）を参照して説明する。図６（ａ）は下部配線受けの斜視図、（ｂ）は配線ダクトを横切る断面図である。
【００３２】
本実施形態に係る配線ダクト３２は、上方が開口する断面コ字状に形成された下部配線受け３４と、下方が開口する断面コ字状に形成された第１実施形態と同一構成の上部配線カバー１６とから構成されており、下部配線受け３４の補強フレーム４２ａ、４２ｂの構造のみが上記実施形態とは相違している。
【００３３】
すなわち、本実施形態で採用される補強フレーム４２ａ、４２ｂは、両起立壁Ｓ１、Ｓ２の内面間に横架されており、これら補強フレーム４２ａ、４２ｂの幅方向中央には下部配線受け３４の開口上端と面一になる突出部が形成され、下部配線受け３４の両起立壁Ｓ１、Ｓ２の上方内側と、装着された上部配線カバー１６の天板下面に通信線ＷＣ等を収容する一対の収容凹部Ｘ１、Ｘ２が形成されると共に、補強フレーム４２ａ、４２ｂの下方には電源コードＥＣ等を収容する収容空間が形成されている。
【００３４】
次に、配線ダクトの第４実施形態に付き図７の（ａ）、（ｂ）を参照して説明する。図７（ａ）は下部配線受けの斜視図、（ｂ）は配線ダクトを横切る断面図である。
【００３５】
本実施形態に係る配線ダクト３６は、上方に細長スリット状の幅狭の開口部４４を長手方向に沿って形成した筒状の下部配線受け３５と、第１実施形態と同一構成の下方が開口する断面コ字状に形成された上部配線カバー１６とから構成されており、上部配線カバー１６に一対の取付孔ｈ１、ｈ２が形成されていない点で上記実施形態とは相違している。
【００３６】
すなわち、下部配線受け３５上面の開口部４４は、幅狭に形成された両側に上端を当接部とする所定高さの折曲起立部４４ａ、４４ｂが一体的に形成されており、折曲起立部４４ａ、４４ｂ上端の当接部に当接した状態で装着された上部配線カバー１６の天板下面の両側には、折曲起立部４４ａ、４４ｂで仕切られて通信線ＷＣ等を収容する一対の収容凹部Ｘ１、Ｘ２が形成されると共に、下部配線受け３５の内部には電源コードＥＣ等を収容する収容空間が形成される。本実施形態においては、上部配線カバー１６が下部配線受け３５に載っているだけであるので、すぐに取り外して配線作業を行うことができる。
【００３７】
次に、配線ダクトの第５実施形態に付き図８の（ａ）、（ｂ）を参照して説明する。図８（ａ）は下部配線受けの斜視図、（ｂ）は配線ダクトを横切る断面図である。
【００３８】
本実施形態に係る配線ダクト４０は、上方が開口する断面コ字状に形成されて片側起立壁Ｓ１′の高さ方向の略中間に長手方向に沿った配線収容凹溝４５が形成された下部配線受け３８と、第１実施形態と同一構成の下方が開口する断面コ字状に形成された上部配線カバー１６とから構成されており、下部配線受け４５の片側起立壁Ｓ１′に配線収容凹溝４５が形成されている点で他の実施形態と相違している。
【００３９】
すなわち、下部配線受け３８に上部配線カバー１６を装着した際に、配線収容凹溝４５が上部配線カバー１６の片側側壁により閉塞されることで、通信線ＷＣ等を収容する配線収容部として形成され、下部配線受け３８の内部には電源コードＥＣ等を収容する収容空間が形成される。
【００４０】
以上本発明の実施形態を図面に基づき説明してきたが、具体的な構成はこれら実施例に限られるものではなく、例えば、下部配線受けを支持脚に取付けているが、上部配線カバー側を取付けるようにしてもよい。また、下部配線受けに電源コードを収容しているが、反対に補強フレームで構成した配線空間に電源コードを収容し、下部配線受けに情報線を収容するようにしてもよいことは言うまでもない。
【００４１】
【発明の効果】
本発明は以下の効果を奏する。
【００４２】
（ａ）請求項１項の発明によれば、配線ダクトが一対の支柱間に支持されているから、天板に邪魔されることなく配線作業ができ、配線類の重量を一対の支柱で支えているので配線類を確実に支持できる。
【００４３】
（ｂ）請求項２項の発明によれば、配線差込口又は配線挿通口が上部配線カバーに形成されているから、配線差込口又は配線挿通口を介して天板上で使用しているパソコン等に容易に配線接続が可能である。
【００４４】
（ｃ）請求項３項の発明によれば、断面コ字状部材同士で収納空間が形成されるので、配線類をこの空間内に確実に捕捉することができ、嵌合状態を外せば配線作業が即座に行える。
【００４５】
（ｄ）請求項４項の発明によれば、配線空間を複数に仕切ることで、電源線や情報線を区分けして収納できるので、線同士の干渉を避け、保守点検がしやすい。
【００４６】
（ｅ）請求項５項の発明によれば、補強フレームを上部配線カバー又は下部配線受けの強度向上と止着受座として利用できる。
【図面の簡単な説明】
【図１】本発明の一実施形態に係る配線ダクト付きテーブルの分解斜視図である。
【図２】第１実施形態に係る配線ダクトが支持脚間に装架された状態を示す斜視図である。
【図３】第１実施形態に係る配線ダクトの下部配線受けと上部配線カバーを開放した状態を示す分解斜視図である。
【図４】第２実施形態に係る配線ダクトの下部配線受けと上部配線カバーを開放した状態を示す分解斜視図である。
【図５】図２に示す配線ダクトを横切る断面図である。
【図６】（ａ）は第３実施形態に係る下部配線受けの斜視図、（ｂ）は第３実施形態に係る配線ダクトを横切る断面図である。
【図７】（ａ）は第４実施形態に係る下部配線受けの斜視図、（ｂ）は第４実施形態に係る配線ダクトを横切る断面図である。
【図８】（ａ）は第５実施形態に係る下部配線受けの斜視図、（ｂ）は第５実施形態に係る配線ダクトを横切る断面図である。
【符号の説明】
１                    テーブル
２                    天板
４ａ、４ｂ            天板支持脚（支持脚）
４                    架台
５                    配線ダクト
６                    コンセント
８                    幕板
１０ａ、１０ｂ        支持脚
１５ａ、１５ｂ        取付部
１６                  上部配線カバー
１８ａ、１８ｂ        矩形孔
２０ａ、２０ｂ        補強フレーム
２５                  配線ダクト
２６ａ、２６ｂ        切欠き
２８                  上部配線カバー
２８ａ、２８ｂ        配線挿通口
３２、３６、４０      配線ダクト
３５                  下部配線受け
４２ａ、４２ｂ        補強フレーム
４４ａ、４４ｂ        折曲起立部
４４                  開口部
４５                  配線収容凹溝
Ｃ１                  信号線
Ｃ２                  電源コード
Ｅ１、Ｅ２            コンセント
ＥＣ                  電源コード
Ｇ                    隙間
ｈ１、ｈ２            取付孔
ＰＣ                  パソコン
Ｓ１、Ｓ２            起立壁
Ｓ′１、Ｓ′２        起立壁
Ｓ１′、Ｓ２′        起立壁
Ｓ”１                片側側壁
ｔ１、ｔ２            ねじ孔
Ｗ                    電子時計
ＷＣ                  通信線
Ｘ１、Ｘ２            収容凹部
【図１】
2004159690.tif 000003
【図２】
2004159690.tif 000004
【図３】
2004159690.tif 000005
【図４】
2004159690.tif 000006
【図５】
2004159690.tif 000007
【図６】
2004159690.tif 000008
【図７】
2004159690.tif 000009
【図８】
2004159690.tif 000010